(57)【要約】【課題】セット時にカールした用紙の偏りを防止し、又は、カバーの開放時に傾斜走行面にセットされた用紙の滑りを防止できる給紙装置を提供する。【解決手段】給紙装置１３において、原稿１１がセットされる傾斜走行面の一部を覆う開閉可能なカバー１８に近接する規制ガイド１５を中空に形成し、該規制ガイド１５内に、その規制側壁２４に沿って上下動可能で且つ上動した所定位置で自重で開口から用紙へ向かって回転して原稿１１を押圧すべく位置する回転板４３を有する移動部２９と、カバー１８の開閉に伴って突出及び後退する作動部２７と、該作動部２７の動作に連動して移動部２９を上下動させる連動部２８とを設ける。【選択図】　　　　図１
2004083246.tif 000002
【特許請求の範囲】
【請求項１】
セットされる媒体の幅方向を規制する規制手段と、
前記媒体の幅方向の端部表面を押圧する押圧手段とを備えることを特徴とする給紙装置。
【請求項２】
前記押圧手段は前記規制手段の規制側壁に設けられることを特徴とする請求項１に記載された給紙装置。
【請求項３】
セットされた前記媒体を覆う開閉可能なカバーを有し、該カバーの開動作に連動して前記押圧手段に前記媒体の端部を押圧させることを特徴とする請求項１又は２に記載された給紙装置。
【請求項４】
前記押圧手段は、前記規制側壁に上下動可能に設けられ、かつ、所定位置において媒体表面を押圧する押圧部材を有することを特徴とする請求項２に記載の給紙装置。
【請求項５】
前記押圧部材を上下動させる操作手段を備えることを特徴とする請求項４記載の給紙装置。
【請求項６】
前記操作手段は手動可能な操作部を含むことを特徴とする請求項５に記載の給紙装置。
【請求項７】
セットされた前記媒体を覆う開閉可能なカバーを有し、前記操作手段は、前記カバーの開閉に連動して前記押圧部材を上下動させることを特徴とする請求項５に記載の給紙装置。
【請求項８】
セットされる媒体の幅方向を規制する規制手段と、
上下動可能に設けられ、前記媒体の幅方向の端部の浮き上がりを抑制する抑制部材を含む抑制手段と、
前記抑制部材を上下動させ、所定位置において前記媒体の幅方向の端部を抑制するように位置させる操作手段とを備えることを特徴とする給紙装置。
【請求項９】
前記抑制部材は、前記規制手段の規制側壁に設けられることを特徴とする請求項８に記載の給紙装置。
【請求項１０】
前記操作手段は手動可能な操作部を含むことを特徴とする請求項８又は９に記載の給紙装置。
【発明の詳細な説明】
【０００１】
【発明の属する技術分野】
本発明は、例えばファクシミリ装置、印刷装置における用紙を供給するための給紙装置に関する。
【０００２】
【従来の技術】
例えばファクシミリ装置には、原稿支持台、原稿規制ガイド等からなる給紙装置が設けられている。
オペレータが、複数の原稿を用紙として原稿支持台にセットし、原稿を幅サイズに合わせて規制するために原稿規制ガイドを移動させた後、スタートボタンを押すと、原稿は、原稿支持台から走行ルートの走行面に沿って搬送される。
【０００３】
【発明が解決しようとする課題】
ところで、原稿が例えば高湿度環境下で水分を吸収してカールしている場合、原稿が偏ってセットしてしまうことがある。このため、原稿は走行時に斜行してしまう。
【０００４】
また、原稿の搬送が例えば紙詰まり等の原因で停止される際、詰まっている紙を除去するために原稿カバーを開ける必要がある。この場合、原稿支持台の支持面が傾斜していると、該傾斜支持面にセットされている原稿が最上面の原稿から傾斜走行面に沿って滑り、ファクシミリ装置内へ入り込んでしまうことがある。このため、オペレータが再び原稿を揃えてセットしなければならず、非常に手間が掛かる欠点があった。
【０００５】
【課題を解決するための手段】
本発明は、以上の点を解決するために、次の構成を採用する。
〈構成１〉
本発明に係る給紙装置は、セットされる媒体の幅方向を規制する規制手段と、媒体の幅方向の端部表面を押圧する押圧手段とを備えることを特徴とする。
【０００６】
押圧手段として、規制手段の規制側壁に設けることができる。
【０００７】
また、給紙装置は、更に、セットされた前記媒体を覆う開閉可能なカバーを備えることができる。この場合、カバーの開動作に連動して押圧手段に媒体の端部を押圧させることができる。
【０００８】
押圧手段として、規制側壁に上下動可能に設けられ、かつ、所定位置において媒体表面を押圧する押圧部材を備えることができる。
【０００９】
給紙装置は、押圧部材を上下動させる操作手段を備えることができる。
【００１０】
操作手段として、手動可能な操作部を備えることができる。
【００１１】
操作手段として、カバーの開閉に連動して押圧部材を上下動させることができる。
【００１２】
〈構成２〉
本発明に係る給紙装置は、セットされる媒体の幅方向を規制する規制手段と、上下動可能に設けられ、媒体の幅方向の端部の浮き上がりを抑制する抑制部材を含む抑制手段と、抑制部材を上下動させ、所定位置において媒体の幅方向の端部を抑制するように位置させる操作手段とを備えることを特徴とする。
【００１３】
抑制部材は、規制手段の規制側壁に設けることができる。
【００１４】
操作手段は手動可能な操作部を含むことができる。
【００１５】
【発明の実施の形態】
以下、本発明を図示の実施の形態について説明する。
まず、各実施例の詳細な説明に先立って、実施例の特徴概要を述べる。
本発明に係る実施例の給紙装置は、用紙の幅寸法に合わせて該用紙を規制する規制側壁を有する規制ガイドを含む給紙装置であって、規制ガイドは、中空に形成され、該規制ガイド内に、規制側壁に沿って上下動可能で且つ上動した所定位置で自重で用紙へ向かって回転して用紙のカールを抑制すべく位置する回転板を有する移動部と、手動可能な操作部の動作に連動して移動部を上下動させる連動部とを備えるカール抑制機構が設けられることを特徴とする。
【００１６】
このような給紙装置では、移動部は規制ガイドの規制側壁に沿って上下動され、その回転部は上動した所定位置で自重で回転して用紙のカール部に当接して該用紙のカールを抑制する。
このようなカールの抑制に伴って、用紙が偏る位置にセットされても正確な位置に戻ることとなる。これにより、用紙の斜行を防止することができる。
【００１７】
また、本発明に係る実施例の給紙装置は、用紙がセットされる傾斜走行面の一部を覆う開閉可能なカバーに近接し、用紙の幅寸法に合わせて該用紙を規制する規制側壁を有する規制ガイドを含む給紙装置であって、規制ガイドは、中空に形成され、該規制ガイド内に、規制側壁に沿って上下動可能で且つ上動した所定位置で自重で開口から用紙へ向かって回転して、用紙を押圧すべく位置する回転板を有する移動部と、カバーの開閉に伴って突出及び後退する作動部と、該作動部の動作に連動して移動部を上下動させる連動部とを備える用紙押圧機構が設けられることを特徴とする。
【００１８】
このような給紙装置では、作動部は、カバーの開放に伴って突出して、連動部を介して移動部を上動させ、その上動した所定位置で、回転部は自重で回転して用紙を押圧する。
これにより、カバーの開放の際用紙が押圧されるので、傾斜走行面にセットされた用紙の滑りを防止することができる。従って、オペレータが再び用紙を揃える必要がなくなる。
【００１９】
本発明に係る実施例の給紙装置は、用紙がセットされる傾斜走行面の一部を覆う開閉可能なカバーに近接し、用紙の幅寸法に合わせて該用紙を規制する規制側壁を有する規制ガイドを含む給紙装置であって、規制ガイドは、中空に形成され、該規制ガイド内に、規制側壁に沿って上下動可能で、且つ上動した所定位置で自重で用紙へ向かって回転可能な回転板を有する移動部と、手動可能な操作部の動作に連動して移動部を上下動させる第１連動部と、カバーの開閉に伴って突出及び後退する作動部と、回転する回転板を用紙のカールを抑制すべき位置に位置決めするストッパと、該ストッパを支持し、回転板を抑制位置から用紙を押圧すべき位置まで更に回転させるべく作動部の突出に連動してストッパを下動させる第２連動部とが設けられることを特徴とする。
【００２０】
このような給紙装置では、移動部は第１連動部を介して操作部によって規制ガイドの規制側壁に沿って上動され、その上動した所定位置で、回転部は自重で回転してストッパによって位置決めされて用紙のカールを抑制する。また、作動部は、カバーの開放に伴って突出し、第２連動部を介してストッパを下動させ、回転部は抑制位置から更に用紙を押圧する。
これにより、用紙のカールが抑制されるので、用紙が偏る位置にセットされても正確な位置に戻ることとなる。これにより、用紙の斜行を防止することができる。また、カバーの開放の際用紙が押圧されるので、用紙が傾斜走行面にセットされても該用紙の滑りを防止することができる。
【００２１】
上記の連動部として、移動部と連結し且つ操作部と連結するリンクを用いることができる。
【００２２】
次に、各実施例を詳細に説明する。
〈実施例１〉
図１は、本発明に係る給紙装置の構成を部分的に示すが、これの具体的な説明に先立ち、図２、図３及び図４に沿って本発明に係る給紙装置が設けられているファクシミリ装置を説明する。
図１（ａ）は正面図であり、図１（ｂ）は側面図である。
図２は、本発明に係る給紙装置が設けられているファクシミリ装置を示す構成図である。
図３は、図２の仮想線に囲まれる部分を示す構成図である。
図４は、カバーが開放している状態を示す構成図である。
【００２３】
ファクシミリ装置１０は、図２に示されているように、複数の原稿１１を読取部１２に供給するための給紙装置１３を含む。
給紙装置１３は、原稿を支持する支持台１４と、該支持台１４に設けられ、原稿を規制する規制ガイド１５とを備える。支持台１４は、傾斜している支持面１４ａ、即ち、原稿１１が走行する走行面１４ａを有している。
読取部１２は、図２、図３及び図４に示されているように、走行面１４ａに連接しており、該走行面１４ａと同様に傾斜している走行面１６を有している。該読取部１２には、走行面１６を覆い、軸１７を介して開閉可能なカバー１８が設けられている。
【００２４】
このファクシミリ装置１０において、原稿１１が給紙装置１３の支持台１４に支持されながら読取部１２のカバー１８及び走行面１６間に挿入してセットされると、挿入検出センサ１９は原稿１１を検出する。そして、オペレータがスタートボタンを押すと、これらの原稿１１は、分離片２０によって順次分離されてＡＤＦローラ２１によって搬送される。搬送される原稿１１は、ＡＤＦローラ２１とフィードローラ２２との間に入り込み、そして、読取機構２３に読み取られる。
【００２５】
次に、本発明に係る給紙装置１３の構成を更に具体的に説明する。
給紙装置１３は、上記したように、規制ガイド１５を有する。
規制ガイド１５は、図１に示されているように、中空に形成されており、原稿１１を規制する規制側壁２４を有し、該規制側壁２４には、開口部２５が設けられている。
規制ガイド１５内には、原稿押圧機構２６が設けられている。
【００２６】
原稿押圧機構２６は、作動部２７、連動部２８及び移動部２９を備えている。
作動部２７は、規制ガイド１５から上方へ突出可能な作動杆３０と、該作動杆３０の下方に設けられているばね部材３１とで形成されている。
作動杆３０は、図３に示されているように、規制ガイド１５に近接しているカバー１８が走行面１６を覆うような閉じている状態でこのカバー１８に押圧されている。このとき、ばね部材３１は、作動杆３０によって圧縮される。
また、作動杆３０は、図４に示されているように、カバー１８を開けると、圧縮されたばね部材３１の弾性力によって規制ガイド１５から上方へ突出する。
【００２７】
連動部２８は、リンク部材３２及び軸３３を介して該リンク部材３２と連結しているリンク部材３４を有している。
リンク部材３２は、軸３５を介して作動杆３０の下端と連結しており、その中心長孔３６に位置し且つ規制ガイド１５の側壁３７に固定している固定軸３８を中心として回転可能となっている。
リンク部材３４は、軸３９を介して移動部２９と連結しており、その中心長孔４０に位置している固定軸４１を中心として回転可能となっている。
【００２８】
移動部２９は、上下方向に沿って位置し、リンク部材３４に連結される板部材４２と、該板部材４２の上方に位置し且つ板部材４２に回転可能に取り付けられている回転板４３とを備えている。図３に示される状態では、板部材４２に対し、回転板４３が上方に配置されている。
この回転板４３を確実に回転させるために、突起部４４が規制ガイド１５の側壁３７に設けられている。この突起部４４は、傾斜面４４ａを有している。
【００２９】
〈実施例１の動作〉
次に、本発明に係る給紙装置１３の動作を具体的に説明する。
複数の原稿１１が上記したようにセットされて給紙装置１３から順次搬送される際例えば紙詰まりが発生した場合、読取部１２に設けられているカバー１８を開けると、作動杆３０はばね部材３１によって上動する。
【００３０】
この上動に伴って、連動部２８のリンク部材３２及び３４は連動して、それぞれ、軸３８及び４１を中心軸として回転する（図３及び図４参照）。この回転によって、移動部２９の板部材４２は上動する。
【００３１】
板部材４２が上動すると、回転板４３は上方へ移動するので、その先端側が突起部４４の傾斜面４４ａに当接する。これにより、回転板４３は、図１に示されているように、自重で規制ガイド１５の開口部２５から原稿１１の上面へ向かって回転する。回転した回転板４３が原稿１１を押圧する。
【００３２】
これにより、カバー１８が開放されても、原稿１１が回転板４３に押圧されているので、傾斜している走行面１４ａ及び１６にセットされた原稿１１の滑りが防止される。従って、オペレータにとって原稿を再度揃える等の手間が不要となる。
【００３３】
尚、カバー１８を閉じると、作動杆３０が下動するので、連動部２８を介して、移動部２９の板部材４２が下動する。これにより、回転板４３は、逆方向に回転しながら規制ガイド１５内に元の位置に戻る。従って、原稿１１の搬送を継続することが可能となる。
なお、本実施例は回転板を適用し、これを回転させることにより、回転板先端を上下動させて原稿を押さえるようにしているが、回転を伴わない、上下動する部材を用いてもよい。
【００３４】
〈実施例１の効果〉
本実施例によれば、カバーの開放の際用紙が押圧されるので、用紙が傾斜走行面にセットされても滑ることはない。従って、オペレータが再び用紙を揃える必要がなくなる。
【００３５】
〈実施例２〉
図５は、本発明に係る給紙装置の他の実施例における要部を示す構成図である。
図６は、原稿のカールが抑制された状態を示す構成図である。
図７は、原稿が更に押圧された状態を示す構成図である。
本実施例においては、上記した実施例１と同様な構成部分に同一の符号が付されている。
本発明に係る給紙装置５０は、図５、６及び７に示されているように、原稿１１を規制する規制ガイド１５を備える。
【００３６】
規制ガイド１５内には、作動部２７、移動部２９、第１連動部５１、第２連動部５２、操作杆５３及びストッパ５４が設けられている。
操作杆５３は例えばオペレータによって上下方向に沿って上下動される。
第１連動部５１は、リンク部材５６を有する。該リンク部材５６の両端が、それぞれ、操作部５３の下端及び板部材４２に連結しており、固定軸５７を回転軸として回転可能となっている。このリンク部材５６を用いることにより、第１連動部５１は、操作杆５３の動作に連動して移動部２９を上下動させる。
【００３７】
ストッパ５４は、回転する回転板４３を原稿のカールを抑制すべき位置に位置決めするために用いられる。
第２連動部５２は、リンク部材５８を有する。該リンク部材５８の両端は、それぞれ、作動杆３０の下端及びストッパ５４に連結しており、固定軸５９を回転軸として回転可能となっている。このリンク部材５８を用いることにより、第２連動部５２は、ストッパ５４を支持し、また、作動部２７の作動杆３０の上動に連動してストッパ５４を下動させる。
【００３８】
〈実施例２の動作〉
本実施例において、例えばオペレータがカールした原稿１１を図５に示されているように支持台１４上にセットした後操作杆５３を押すと、第１連動部５１は、この動作に連動して板部材４２を上動させる。この板部材４２の上動によって、回転板４３は、図６の仮想線に示されるように開口部２５から原稿１１へ向かって回転する。
【００３９】
回転した回転板４３は、ストッパ５４によって、図６に示されているように、水平の状態に保持され、原稿１１のカールを抑制しながら位置決めされる。
これにより、原稿１１のカールが抑制されるので、原稿がそのセット時に正確にセットされる。従って、原稿の偏りが低減され、原稿の傾斜走行が防止される。
【００４０】
その後、原稿１１が搬送されて、何らかの原因で紙詰まりが生じた場合にカバー１８を開けると、作動杆３０がばね部材３１によって上動するので、この上動に連動して、第２連動部５２はストッパ５４を下動させる。
このようにストッパ５４が下動して回転板４３を抑制位置に保持すべき位置から後退すると、回転板４３が抑制位置から更に自重で回転して、図７に示されているように原稿１１を押圧する。
これにより、カバー１８の開放の際、原稿１１が傾斜している走行面にセットされていてもその滑りが防止される。
【００４１】
尚、本実施例では、原稿のカールを抑制し且つ原稿の滑りを防止する構成を規制ガイド内に設けたが、例えば移動部２９、操作部５３及び第１連動部５１のみをカール抑制機構として規制ガイド内に設けてもよい。この場合、給紙装置において、原稿のカールを抑制する機能を有する。これにより、カールした用紙がカールの抑制に伴って正確な位置に戻るので、用紙の斜行を防止することができる。
【００４２】
〈実施例２の効果〉
本実施例によれば、一方で、用紙のカールが抑制されるので、用紙の偏りを防止することができる。他方で、カバーの開放の際用紙が押圧されるので、傾斜走行面にセットされた用紙の滑りを防止することができる。
【００４３】
【発明の効果】
本発明に係る給紙装置によれば、媒体を正確にセットすることができる。
【図面の簡単な説明】
【図１】本発明に係る給紙装置の実施例１の構成を部分的に示す構成図である。
【図２】本発明に係る給紙装置が設けられているファクシミリ装置を示す構成図である。
【図３】図２の仮想線に囲まれる部分を示す構成図である。
【図４】カバーが開放している状態を示す構成図である。
【図５】本発明に係る給紙装置の実施例２の構成を部分的に示す構成図である。
【図６】用紙のカールが抑制された状態を示す構成図である。
【図７】用紙が押圧された状態を示す構成図である。
【符号の説明】
１３，５０　給紙装置
１１　原稿（用紙）
１５　規制ガイド
１８　カバー
２４　規制ガイドの規制側壁
２６　原稿（用紙）押圧機構
２７　作動部
２８　連動部
２９　移動部
４３　移動部の回転板
５１　第１連動部
５２　第２連動部
５３　操作杆（操作部）
５４　ストッパ
【図１】
2004083246.tif 000003
【図２】
2004083246.tif 000004
【図３】
2004083246.tif 000005
【図４】
2004083246.tif 000006
【図５】
2004083246.tif 000007
【図６】
2004083246.tif 000008
【図７】
2004083246.tif 000009